【手続補正書】
【提出日】平成17年8月12日(2005.8.12)
【手続補正１】
【補正対象書類名】明細書
【補正対象項目名】特許請求の範囲
【補正方法】変更
【補正の内容】
【特許請求の範囲】
【請求項１】
多孔質材料の試料を通って横方向又は垂直方向のいずれかに流れる流体の流れを測定する装置であって、前記多孔質材料の試料が周端縁並びにそこから内側に伸びる第１及び第２の隔てられた面を有する測定する、装置において、
（ａ）垂直方向の流体の流れに調和するように試料を支持するための環状の部分を有する面を備えた支持部材と、
（ｂ）流体を受け入れるチャンバを画成し得るように協働する円筒壁及び端部壁を有する流体チャンバハウジングであって、前記端部壁が、試料を通る半径方向外側又は横方向の流れに調和するように、試料の第１及び第２の隔てられた面間で前記周端縁に隣接してそれらの面の環状部分を締め付けるべく、前記支持部材の環状の面と協働する環状の面を有する、流体チャンバハウジングと、
（ｃ）前記試料に流体を導入すべく前記端部壁に形成された開口部と、
（ｄ）圧力が加えられた前記流体を前記開口部及び試料を通して強制的に供給する流体流れ制御装置とを備える、装置。
【請求項２】
請求項１の装置において、前記流体流れ制御装置が、軸と、拡張した頭部とを有するピストンを備え、前記拡張した頭部が流体を前記チャンバ及び前記開口部に導入することを許容する開口を有し、前記試料に向かう前記ピストンの移動が前記試料を通る流体の流れを制御する、装置。
【請求項３】
請求項２の装置において、前記支持部材が、開口部と、前記開口部内に配置された流通部材とを備え、前記流通部材が、前記試料を通る流体を受け入れ得るように貫通して伸びる複数の通路を有する、装置。
【請求項４】
多孔質材料を通って流れる流体の流れを測定する装置において、
（ａ）（１）前記材料の個別の試料を支持するための開口部を画定する環状の面及び（２）前記開口部内に配置された流通部材を有する支持部材であって、前記流通部材が前記試料を通過する流体を受けるように伸びる複数の通路を有し、前記流通部材が前記支持部材の開口部内にねじで保持されかつ前記支持部材の面に関する前記流通部材の位置を変えるように回転可能である支持部材と、
（ｂ）流体を受け入れるチャンバを画成し得るように協働する円筒壁及び端部壁を有する流体チャンバハウジングであって、前記端部壁が前記試料をその間にて締め付け得るように前記支持部材の面と協働する面を有する、流体チャンバハウジングと、
（ｃ）前記試料に流体を導入すべく前記端部壁に形成された開口部と、
（ｄ）圧力が加えられた前記流体を前記開口部及び前記試料を通して強制的に流す流体流れ制御装置であって、軸及び拡張した頭部を有するピストンを備え、前記拡張した頭部が流体を前記チャンバ及び前記開口部に導入することを許容する開口を有する流体流れ制御装置とを備える、装置。
【請求項５】
多孔質材料を通って流れる流体の流れを測定する装置において、
（ａ）（１）前記材料の個別の試料を支持するための開口部を画定する環状の面及び（２）前記開口部内に配置された流通部材を有する支持部材であって、前記流通部材が前記試料を通過する流体を受けるように伸びる複数の通路を有し、前記流通部材が前記支持部材の開口部内にねじで保持されかつ前記支持部材の面に関する前記流通部材の位置を変えるように回転可能である支持部材と、
（ｂ）流体を受け入れるチャンバを画成し得るように協働する円筒壁及び端部壁を有する流体チャンバハウジングであって、前記端部壁が前記試料をその間にて締め付け得るように前記支持部材の面と協働する面を有する、流体チャンバハウジングと、
（ｃ）前記試料に流体を導入すべく前記端部壁に形成された開口部と、
（ｄ）圧力が加えられた前記流体を前記開口部及び前記試料を通して強制的に流す流体流れ制御装置であって、軸及び拡張した頭部を有するピストンを備え、前記拡張した頭部が流体を前記チャンバ及び前記開口部に導入することを許容する開口を有する流体流れ制御装置と、
（ｅ）前記試料が係合すべき位置にて前記流通部材上にあり、流体が通して流れるのを許容する多孔質スペーサと、を備える、装置。
【請求項６】
請求項３の装置において、前記流体チャンバハウジングの端部壁の開口部内に配置された第二の流通部材であって、前記ピストンの拡張した頭部の開口を通過する流体を受け入れ得るように貫通して伸びる複数の通路を有する第二の流通部材を更に備える、装置。
【請求項７】
請求項１の装置において、前記支持部材が、開口部と、前記開口部内に配置された流通部材とを備え、前記流通部材が前記試料を通過する流体を受け入れ得るように貫通して伸びる複数の通路を有する、装置。
【請求項８】
請求項７の装置において、前記支持部材上に支持された試料の前記周端縁に隣接する環状の部分の上方に位置する環状のスペーサリングであって、前記流体チャンバのハウジング端部壁が係合しかつ前記端部壁開口部を取り巻く環状のスペーサリングを更に備える、装置。
【請求項９】
請求項１の装置において、前記支持部材が、前記端部壁の面と協働する切れ目無しの面を備えて、前記試料をそれらの面の間で締め付け得るようになっており、前記切れ目無しの面により前記試料を通って流れる流体が半径方向外方に流れるようにする、装置。
【請求項１０】
請求項１の装置において、前記支持部材が開口部を備え、切れ目無しの面を有する板部材を更に備え、前記板部材が、前記開口部の上方に位置する前記支持部材に係合しかつ前記試料を通って流れる流体が半径方向外方に流れるようにする、装置。
【請求項１１】
請求項１の装置において、前記流体チャンバハウジングが、外方に伸びるフランジを備え、かつ（ｉ）前記支持部材が内部に保持されたベース部材と、（ｉｉ）前記ベース部材と係合可能であり、前記外方に伸びるフランジを前記支持部材に対して保持するように作用可能な締め付け部材とを更に備える、装置。
【請求項１２】
多孔質材料を通って流れる流体の流れを測定する装置において、
（ａ）前記材料の個別の試料であって、周端縁とその周端縁から内側に伸びる第１及び第２の隔てられた面をを有する試料を支持する環状の面を備える支持部材と、
（ｂ）流体を受け入れるチャンバを画成し得るように協働する円筒壁及び端部壁を有する流体チャンバハウジングであって、前記端部壁が、試料の第１及び第２の隔てられた面間で前記周端縁に隣接してそれらの面の環状部分を締め付けるように前記支持部材の環状の面と協働する環状の面を有する、流体チャンバハウジングと、
（ｃ）前記試料に流体を導入すべく前記端部壁に形成された開口部と、
（ｄ）圧力が加えられた前記流体を前記開口部及び前記試料を通して強制的に流す流体流れ制御装置と、
（ｅ）中で前記支持部材を保持するベース部材と、
（ｆ）前記ベース部材と係合可能であり、前記外方に伸びるフランジを前記支持部材に対して保持するように作用可能な締め付け部材と、
（ｇ）前記材料の試料の上方に均一な圧力を提供し得るように前記締め付け部材と前記フランジとの間にある一組みの自動整合の球面座金と、を更に備える、装置。
【請求項１３】
請求項１の装置において、前記流体チャンバハウジングが外方に伸びるフランジと、ねじ部を有するベース部材と、前記ベース部材に螺着可能に係合した圧縮部材とを更に備え、前記圧縮部材が、前記外方に伸びるフランジに圧力を加えて前記流体チャンバハウジングを前記支持部材に対して保持しかつ試験試料を圧縮するように作用可能である、装置。
【請求項１４】
請求項１３の装置において、前記流体流れ制御装置が、軸部及び拡張した頭部を有するピストンを備え、前記拡張した頭部が流体を前記チャンバ及び前記開口部に導入することを許容する開口を有する、装置。
【請求項１５】
請求項１４の装置において、前記支持部材が、開口部と、前記開口部内に配置された流通部材とを備え、前記流通部材が前記試料を通過する流体を受け入れ得るように貫通して伸びる複数の通路を有する、装置。
【請求項１６】
請求項１５の装置において、前記試料が係合すべき位置にて前記流通部材上に多孔質スペーサを更に備え、前記多孔質スペーサは流体が貫通して流れるのを許容する、装置。
【請求項１７】
請求項１５の装置において、前記流通部材が前記開口部内で螺着可能に保持されかつ前記支持面に対する前記流通部材の位置を変化させ得るように回転可能である、装置。
【請求項１８】
請求項１５の装置において、前記流体チャンバハウジングの端部壁の開口部内に配置された第二の流通部材であって、貫通して伸びる複数の通路を有する第二の流通部材を更に備える、装置。
【請求項１９】
請求項１の装置において、ヒータと、前記流体チャンバハウジング内の前記流体の温度を制御する温度制御装置とを更に備える、装置。
【請求項２０】
請求項１の装置において、流体貯蔵タンクと、閉ループの流体輸送管とを更に備える、装置。